(57)【要約】【課題】フランジ部の強度確保と薄肉化との両立を図ることのできる保持枠を得ること。【解決手段】保持枠は、太陽電池パネル３の周囲を囲んで保持する保持枠であって、太陽電池パネル３の側面に沿って設けられる壁部４と、壁部４から太陽電池パネル３側に張り出して、太陽電池パネル３の受光面３ａの外周部を覆う保持上片５と、壁部４から太陽電池パネル３側に張り出して、受光面３ａの裏面３ｂの外周部を覆う保持下片６と、壁部４から太陽電池パネル３側に張り出して、太陽電池パネル３の裏面３ｂ側で保持下片６よりも離れた位置に設けられた底辺片７と、壁部４から太陽電池パネル３の反対側に張り出すフランジ部８と、を備え、フランジ部は、壁部４に近い根元側よりも先端側のほうが薄肉である。【選択図】図２
2014116506.tif 000002
【特許請求の範囲】
【請求項１】
太陽電池パネルの周囲を囲んで保持する保持枠であって、
前記太陽電池パネルの側面に沿って設けられる壁部と、
前記壁部から前記太陽電池パネル側に張り出して、前記太陽電池パネルの受光面の外周部のうち少なくともその一部を覆う保持上片と、
前記壁部から前記太陽電池パネル側に張り出して、前記受光面の裏面の外周部のうち少なくともその一部を覆う保持下片と、
前記壁部から前記太陽電池パネル側に張り出して、前記太陽電池パネルの裏面側で前記保持下片よりも離れた位置に設けられた底辺片と、
前記壁部から前記太陽電池パネルの反対側に張り出すフランジ部と、を備え、
前記フランジ部は、前記壁部に近い根元側よりも先端側のほうが薄肉であることを特徴とする保持枠。
【請求項２】
前記フランジ部は、前記壁部の根元から先端に向かうにしたがって薄肉になるテーパ部を有することを特徴とする請求項１に記載の保持枠。
【請求項３】
前記テーパ部は、前記受光面方向側となる第１面および前記裏面方向側となる第２面が平面形状であり、前記第１面または前記第２面の一方が前記受光面と平行であることを特徴とする請求項２に記載の保持枠。
【請求項４】
前記テーパ部は、前記受光面方向側となる第１面および前記裏面方向側となる第２面の少なくとも一方が弧状形状を呈することを特徴とする請求項２に記載の保持枠。
【請求項５】
太陽電池パネルと、
前記太陽電池パネルの周囲を囲んで保持する請求項１〜４のいずれか１つに記載の保持枠と、を備えることを特徴とする太陽電池モジュール。
【発明の詳細な説明】
【技術分野】
【０００１】
本発明は、太陽電池パネルを保持するための保持枠と、その保持枠によって太陽電池パネルが保持された太陽電池モジュールに関する。
【背景技術】
【０００２】
太陽電池モジュールとして、受光面側に透明基板（ガラス）を配置し、この透明基板の裏面側に直列或いは並列に接続された複数の太陽電池セルを並べて配置し、これら複数の太陽電池セルを封止樹脂にて封止して太陽電池パネルを構成し、さらにこの太陽電池パネルを周囲から保持する保持枠が設けられた構造のものがあることが知られている。
【０００３】
保持枠に対して、外側に向けて張り出すフランジ部を形成し、そのフランジ部を利用して太陽電池モジュールの固定や連結を行う構成が、例えば特許文献１に開示されている。
【先行技術文献】
【特許文献】
【０００４】
【特許文献１】特開２００３−０７４１５４号公報
【発明の概要】
【発明が解決しようとする課題】
【０００５】
フランジ部を用いて太陽電池モジュールを固定したり連結したりする場合には、太陽電池モジュールが受ける荷重の多くがフランジ部に加わるため、フランジ部には十分な強度が必要となる。しかしながら、保持枠の軽量化や材料使用量削減を図るために、フランジ部の薄肉化への要求もある。
【０００６】
本発明は、上記に鑑みてなされたものであって、フランジ部の強度確保と薄肉化との両立を図ることのできる保持枠を得ることを目的とする。
【課題を解決するための手段】
【０００７】
上述した課題を解決し、目的を達成するために、本発明は、太陽電池パネルの周囲を囲んで保持する保持枠であって、太陽電池パネルの側面に沿って設けられる壁部と、壁部から太陽電池パネル側に張り出して、太陽電池パネルの受光面の外周部のうち少なくともその一部を覆う保持上片と、壁部から太陽電池パネル側に張り出して、受光面の裏面の外周部のうち少なくともその一部を覆う保持下片と、壁部から太陽電池パネル側に張り出して、太陽電池パネルの裏面側で保持下片よりも離れた位置に設けられた底辺片と、壁部から太陽電池パネルの反対側に張り出すフランジ部と、を備え、フランジ部は、壁部に近い根元側よりも先端側のほうが薄肉であることを特徴とする。
【発明の効果】
【０００８】
本発明によれば、フランジ部の強度確保と薄肉化との両立を図ることのできる保持枠を得ることができるという効果を奏する。
【図面の簡単な説明】
【０００９】
【図１】図１は、本発明の実施の形態１にかかる太陽電池モジュールの平面図である。
【図２】図２は、図１に示すＡ−Ａ線に沿った矢視断面図である。
【図３】図３は、図１に示すＢ−Ｂ線に沿った矢視断面図である。
【図４】図４は、図１に示すＡ−Ａ線に沿った矢視断面図であって、変形例１にかかる主枠部材の断面構成を示す図である。
【図５】図５は、図１に示すＡ−Ａ線に沿った矢視断面図であって、変形例２にかかる主枠部材の断面構成を示す図である。
【図６】図６は、図１に示すＡ−Ａ線に沿った矢視断面図であって、変形例３にかかる主枠部材の断面構成を示す図である。
【発明を実施するための形態】
【００１０】
以下に、本発明の実施の形態にかかる保持枠および太陽電池モジュールを図面に基づいて詳細に説明する。なお、この実施の形態によりこの発明が限定されるものではない。
【００１１】
実施の形態１．
図１は、本発明の実施の形態１にかかる太陽電池モジュールの平面図である。太陽電池モジュール３０は、太陽電池パネル３と、保持枠としての主枠部材１と副枠部材２を備える。太陽電池パネル３は、平面視において長方形形状を呈している。
【００１２】
以下の説明において、太陽電池パネル３の平面視における互いに対向する一対の長辺同士を主辺といい、互いに対向する一対の短辺同士を副辺という。また、太陽電池パネル３に対して受光面３ａ側となる方向を上方ともいい、その裏面３ｂ側となる方向を下方ともいう。保持枠としての主枠部材１と副枠部材２は太陽電池パネル３の周囲を囲んで、太陽電池パネル３を保持する。保持枠は、アルミニウムなどの金属材料を用いて構成される。
【００１３】
図２は、図１に示すＡ−Ａ線に沿った矢視断面図である。主枠部材１は、主壁面（壁部）４、主保持上片（保持上片）５、主保持下片（保持下片）６、主底辺片（底辺片）７、フランジ部８を備える。
【００１４】
主壁面４は、太陽電池パネル３の側面に沿って設けられる。主保持上片５は、主壁面４から太陽電池パネル３側に張り出して、太陽電池パネル３の受光面３ａの外周部のうち少なくともその一部を覆う。本実施の形態では、主保持上片５は、太陽電池パネル３の受光面３ａの外周部のほとんどの部分を覆っている。
【００１５】
主保持下片６は、主壁面４から太陽電池パネル３側に張り出して、裏面３ｂの外周部のうち少なくともその一部を覆う。本実施の形態では、主保持下片６は、太陽電池パネル３の裏面３ｂの外周部のほとんどの部分を覆っている。太陽電池パネル３は、主保持上片５と主保持下片６の間にその外周部分が挿入されて保持される。主底辺片７は、主壁面４から太陽電池パネル３側に張り出して、太陽電池パネル３の下方側で主保持下片６よりも離れた位置に設けられる。
【００１６】
フランジ部８は、主壁面４から太陽電池パネル３の反対側に張り出すように形成されている。フランジ部８は、平面形成であるフランジ部上面（第１面）１０とフランジ部下面（第２面）９とを有する。フランジ部８は、主壁面４に近い根元側よりも先端側に向かうにしたがって薄肉になるテーパ部１１を有している。図２に示すように、フランジ部８の根元側から先端までのほとんどの領域がテーパ部１１となっている。したがって、フランジ部上面１０とフランジ部下面９とは、ほとんどの領域で互いに平行になっていない。
【００１７】
図２では、フランジ部上面１０が太陽電池パネル３の受光面３ａと平行となっており、フランジ部下面９が傾斜面になっている例を示しているが、これに限られない。例えば、フランジ部下面９が太陽電池パネル３の受光面３ａと平行であり、フランジ部上面１０が傾斜面になっていてもよい。また、フランジ部上面１０とフランジ部下面９の両方を傾斜面としてもよい。
【００１８】
このように、フランジ部８は、主壁面４に近い根元側よりも先端側に向かうにしたがって薄肉になるテーパ部１１を有しているので、先端側よりも大きな応力が加わりやすい根元側に近づくほど、フランジ部８が厚肉化され、十分な強度を確保しやすくなる。また、根元側よりも小さな応力が加わりやすい先端側に近づくほど、フランジ部８が薄肉化され、保持枠の材料の削減や軽量化を図ることができる。したがって、フランジ部８の強度確保と、薄肉化による材料の削減や軽量化との両立を図ることができる。
【００１９】
図３は、図１に示すＢ−Ｂ線に沿った矢視断面図である。副枠部材２は、副壁面（壁部）１４、副保持上片（保持上片）１５、副保持下片（保持下片）１６、副底辺片（底辺片）１７を備える。
【００２０】
副壁面１４は、太陽電池パネル３の側面に沿って設けられる。副保持上片１５は、副壁面１４から太陽電池パネル３側に張り出して、太陽電池パネル３の受光面３ａの外周部のうち少なくともその一部を覆う。本実施の形態では、副保持上片１５は、太陽電池パネル３の受光面３ａの外周部のほとんどの部分を覆っている。
【００２１】
副保持下片１６は、副壁面１４から太陽電池パネル３側に張り出して、裏面３ｂの外周部のうち少なくともその一部を覆う。本実施の形態では、副保持下片１６は、太陽電池パネル３の裏面３ｂの外周部のほとんどの部分を覆っている。太陽電池パネル３は、副保持上片１５と副保持下片１６の間にその外周部分が挿入されて保持される。副底辺片１７は、副壁面１４から太陽電池パネル３側に張り出して、太陽電池パネル３の下方側で副保持下片１６よりも離れた位置に設けられる。
【００２２】
本実施の形態では、主枠部材１にはフランジ部８が形成され、副枠部材２にはフランジ部８が形成されていない例を挙げて説明したが、これに限られない。例えば、主枠部材１にはフランジ部８が形成されず、副枠部材２にフランジ部８が形成されるように構成してもよいし、主枠部材１と副枠部材２の両方にフランジ部８が形成されるように構成してもよい。
【００２３】
図４は、図１に示すＡ−Ａ線に沿った矢視断面図であって、変形例１にかかる主枠部材の断面構成を示す図である。変形例１にかかる主枠部材１では、フランジ部８のうち根元側寄りの一部がテーパ部１１となっている。そして、テーパ部１１よりもさらに先端側では、フランジ部上面１０とフランジ部下面９とが平行になっている。
【００２４】
なお、上述したフランジ部８全体がテーパ部１１である場合と同様に、テーパ部１１においてフランジ部上面１０とフランジ部下面９とのどちらを斜面にしても構わない。また、副枠部材２に本変形例１と同様のフランジ部８を形成してもよい。
【００２５】
図５は、図１に示すＡ−Ａ線に沿った矢視断面図であって、変形例２にかかる主枠部材の断面構成を示す図である。変形例２にかかる主枠部材１では、フランジ部８全体がテーパ部１２であり、フランジ部下面９が平面ではない形状、例えば弧状形状を呈している。なお、フランジ部上面１０とフランジ部下面９のどちらを弧状形状にしても構わない。また、副枠部材２に本変形例２と同様のフランジ部８を形成してもよい。
【００２６】
図６は、図１に示すＡ−Ａ線に沿った矢視断面図であって、変形例３にかかる主枠部材の断面構成を示す図である。変形例３にかかる主枠部材１では、フランジ部８のうち根元側寄りの一部がテーパ部１２となっている。そして、テーパ部１２では、フランジ部下面９が平面ではない形状、例えば弧状形状を呈している。また、テーパ部１２よりもさらに先端側では、フランジ部上面１０とフランジ部下面９とが平行になっている。
【００２７】
なお、テーパ部１２においてフランジ部上面１０とフランジ部下面９とのどちらを弧状形状にしても構わない。また、副枠部材２に本変形例３と同様のフランジ部８を形成してもよい。
【産業上の利用可能性】
【００２８】
以上のように、本発明にかかる保持枠は、太陽電池パネルを保持する保持枠に有用である。
【符号の説明】
【００２９】
１  主枠部材、２  副枠部材、３  太陽電池パネル、３ａ  受光面、３ｂ  裏面、４  主壁面（壁部）、５  主保持上片（保持上片）、６  主保持下片（保持下片）、７  主底辺片（底辺片）、８  フランジ部、９  フランジ部下面（第２面）、１０  フランジ部上面（第１面）、１１  テーパ部、１４  副壁面（壁部）、１５  副保持上片（保持上片）、１６  副保持下片（保持下片）、１７  副底辺片（底辺片）、３０  太陽電池モジュール。
【図１】
2014116506.tif 000003
【図２】
2014116506.tif 000004
【図３】
2014116506.tif 000005
【図４】
2014116506.tif 000006
【図５】
2014116506.tif 000007
【図６】
2014116506.tif 000008